(57)【要約】【課題】サイドオープンタイプの開離嵌挿具において、磁石を装着して左右の嵌挿具を的確に吸引させ容易に閉鎖操作ができる。【解決手段】開離嵌挿具は一方のストリンガー２の端部に保持部材１０を取り付けてスライダーを保持できる保持部３１を設け、先端に摺接板１２を一体に設け、摺接板１２の重合面１４に凸部２５、その周辺に磁性体１７を配し、他方のストリンガー２′の端部に差込部材１１を取り付けて保持部材１０に嵌入できる差込板３８を設け、先端に摺接板１３を一体に設け、摺接板１３の重合面に凹部を設け、その周辺に磁性体を配し、摺接板１２，１３を重合して凹凸部を係合させ、ストリンガー２，２′を回動させてスライダーを摺動させファスナーチエンを閉鎖させる。【選択図】  図２
2004248809.tif 000002
【特許請求の範囲】
【請求項１】
水平に係脱可能な保持部材１０と差込部材１１とを合成樹脂から成形し、両部材１０，１１の下端を互いに重合し、かつ摺接回動できる摺接板１２，１３を一体に設け、該摺接板１２，１３の重合面１４，１５に互いに吸引できる磁性体１７、１７′を配設したことを特徴とするスライドファスナー用開離嵌挿具。
【請求項２】
摺接板１２，１３の重合面１４，１５に配置する磁性体１７，１７′は、磁石１８，１８′から形成し、該磁石１８，１８′を摺接板１２，１３に配設してなる請求項１記載のスライドファスナー用開離嵌挿具。
【請求項３】
摺接板１２，１３の重合面１４，１５に配設する磁性体１７、１７′は、円形状の磁石１８，１８′から形成し、摺接板１２，１３の重合面１４，１５に凹陥部２８，２８′を設け、該凹陥部２８，２８′の入口に小突条２９，２９′を内方へ突設し、凹陥部２８，２８′内へ磁石１８，１８′を圧入してなる請求項１記載のスライドファスナー用開離嵌挿具。
【請求項４】
摺接板１２，１３の重合面１４，１５に配設する磁性体１７，１７′は、磁石１８，１８′または磁性シート１９などから形成し、該磁石１８，１８′または磁性シート１９などを摺接板１２，１３に貼着してなる請求項１記載のスライドファスナー用開離嵌挿具。
【請求項５】
摺接板１２，１３の重合面１４，１５に配設する磁性体１７，１７′は、磁性粉末を混入した磁性塗料２０から形成し、該磁性塗料２０を摺接板１２，１３に塗着してなる請求項１記載のスライドファスナー用開離嵌挿具。
【請求項６】
摺接板１２，１３の重合面１４，１５に配設する磁性体１７，１７′は、磁石１８，１８′、磁性シート１９、磁性粉末を混入した磁性塗料２０などから形成し、該磁性体１７，１７′を適宜組み合わせて配設してなる請求項２，３または４記載のスライドファスナー用開離嵌挿具。
【請求項７】
一方の摺接板１２の重合面１４に磁石１８を凸出状に配し、他方の摺接板１３の重合面１５に磁石１８′を凹陥状に配し、磁石１８，１８′が係合かつ吸引可能に形成してなる請求項１記載のスライドファスナー用開離嵌挿具。
【請求項８】
一方の摺接板１２の中央に凸部２５を設け、他方の摺接板１３の中央に凹部２６を設けて凸部２５を収容し、該凹凸部２５，２６の周辺に磁性体１７，１７′を配設してなる請求項１記載のスライドファスナー用開離嵌挿具。
【請求項９】
一方の摺接板１２の周縁に、他方の摺接板１３を収容できる周壁２７を突設し、該周壁２７は他方の摺接板１３が回動できる形に一部を切り欠いて切欠部３２を設け、摺接板１２，１３の重合面１４，１５に磁性体１７，１７′を配設してなる請求項１記載のスライドファスナー用開離嵌挿具。
【請求項１０】
保持部材１０と差込部材１１との摺接板１２，１３に近い個所の保持部材１０と差込部材の対向面に磁石１８，１８′を埋装してなる請求項１記載のスライドファスナー用開離嵌挿具
【発明の詳細な説明】
【０００１】
【発明の属する技術分野】
この発明は、スライドファスナーの開離嵌挿具に関するもので、ファスナーストリンガーの下端に取り付けた開離嵌挿具は、一方がスライダーを保持できる保持部材、他方が保持部材に差し込むことができる差込部材から形成され、保持部材と差込部材はファスナー面に対して表裏から重合し、かつ回動させて、ファスナーの横方向から保持部材と差込部材とを衝合させることによって、スライダー内へファスナーストリンガーを嵌入装備できる、サイドオープンタイプのスライドファスナーの開離嵌挿具に関するものである。
【０００２】
【従来の技術】
従来、ファスナーチエンのサイドから開離嵌挿操作ができるサイドオープンタイプの開離嵌挿具は、図２５に示すように左右のファスナーストリンガーの下端にピンを突設した保持部材と、ソケットを設けた差込部材とをピンとソケットを係合させることによって、スライダーの側方からファスナーストリンガーを嵌入し閉鎖させるサイドオープンタイプの開離嵌挿具が知られている。（例えば、特許文献１参照）
【０００３】
また図２６に示すように、ファスナーチエンの一方のファスナーストリンガーの下端に側面に差込凹溝を設けた結合片（保持部材）を設け、先端に円板状の基部の中央にスナップタイプの突起を突設した雄係合部を設け、他方のファスナーストリンガーの下端に差込凹溝に差し込むことができる差込部を有する係止片（差込部材）を設け、係止片の先端に円板状の基部の中央にスナップタイプの凹孔の雌係合部を設け、雌係合部と雄係合部とを係合させた後、係止片を回動させて差込部をスライダーのフランジ間および差込凹部に差し込みスライダーを引き上げると、ファスナーチエンを閉鎖できる開離嵌挿具が知られている。（例えば、特許文献２参照）
【０００４】
【特許文献１】
アメリカ特許第４１３９９２７号明細書（４欄、図１〜４）
【特許文献２】
特開２０００−２３２９０８号公報
（段落番号００２２〜００２８、図１〜６）
【０００５】
【発明が解決しようとする課題】
前項で述べた特許文献１および特許文献２に開示されたスライドファスナーの開離嵌挿具は、共に左右のファスナーストリンガーの下端に設けたファスナー面に直角状に配したピンとソケット、あるいは突起と凹孔とを整合させた後に、ピンとソケット、あるいは突起と凹孔を係合させねばならないため、開離嵌挿具における整合操作および係合操作がきわめて面倒であり、特に子供、老人にとっては難儀な操作であるなど問題点がある。
【０００６】
この発明は、上述の問題点を考慮して発明されたものであり、請求項１記載の発明は、ファスナーチエンの端部に取り付けた開離嵌挿具が、一方のファスナーストリンガーの下端に取り付けたスライダーを保持できる保持部材と、他方のファスナーストリンガーの下端に取り付け、保持部材に対向側面から差し込むことができる差込部材とを、それぞれ保持部材と差込部材の一部に設けた摺接板を重合し、かつ回動させることによって、保持部材と差込部材とを組み合わせてスライダーを摺動させるサイドオープンタイプの開離嵌挿具において、保持部材と差込部材の摺接板に磁性体を配して、簡単に摺接板を吸引させ、所定位置に確実に重合させ、スライドファスナーの開離嵌挿具をサイドオープンタイプで容易に操作できるスライドファスナーの開離嵌挿具を提供することが主たる目的である。
【０００７】
請求項２，３，４，５および６記載の発明は、それぞれ請求項１記載の発明の目的に加え、サイドオープンタイプの開離嵌挿具の保持部材、差込部材に設けた摺接板に磁性を帯びさせるため、摺接板に磁石、磁性シート、磁性ゴム、磁性粉末を混入した塗料などを用いて磁化させ、対向する摺接板を吸引し、摺接板同士を簡易に重合させ、開離嵌挿操作を行うことができるスライドファスナーの開離嵌挿具を提供することが目的である。
【０００８】
請求項７記載の発明は、請求項１記載の発明の目的に加え、スライドファスナーにおけるサイドオープンタイプの開離嵌挿具において、開離嵌挿具の保持部材と差込部材とを開離嵌挿時に円滑に回動させるため、一方の部材の摺接板の重合面に磁石を凸出状に設け、他方の摺接板の重合面に磁石を凹陥状に設けて、的確かつ簡易に保持部材と差込部材を重合させ回動できるスライドファスナーの開離嵌挿具を提供することが目的である。
【０００９】
請求項８記載の発明は、請求項１記載の発明の目的に加え、スライドファスナーにおけるサイドオープンタイプの開離嵌挿具において、開離嵌挿具の保持部材と差込部材とを開離嵌挿時に円滑に回動させるため、一方の部材の摺接板の重合面に凸部を設け、他方の摺接板の重合面に凹部を設けて、的確かつ簡易に保持部材と差込部材を重合させ回動できるスライドファスナーの開離嵌挿具を提供することが目的である。
【００１０】
請求項９記載の発明は、請求項１記載の発明の目的に加え、スライドファスナーにおけるサイドオープンタイプの開離嵌挿具において、開離嵌挿具の保持部材と差込部材とを開離嵌挿時に円滑に回動させるため、一方の部材の摺接板の周囲に周壁を突設して、他方の摺接板を収容できる形態に形成し、的確かつ簡易に保持部材と差込部材を重合させ回動できるスライドファスナーの開離嵌挿具を提供することが目的である。
【００１１】
請求項１０記載の発明は、請求項１記載の発明の目的に加え、スライドファスナーにおけるサイドオープンタイプの開離嵌挿具において、ファスナーチエンを閉鎖させるとき、保持部材と差込部材とを確実に当接保持し、スライダーの閉鎖始動を助勢し、円滑な操作が行えるスライドファスナーの開離嵌挿具を提供することが目的である。
【００１２】
【課題を解決するための手段】
前記の目的を達成するため、この発明のうち請求項１記載の発明は、スライドファスナーにおけるサイドオープンタイプの開離嵌挿具３において、ファスナー面と同様に水平に係脱できる保持部材１０と差込部材１１とを合成樹脂から一体成形し、保持部材１０と差込部材１１の下端に互いに重合し、かつ摺接して回動できる摺接板１２，１３を保持部材１０、差込部材１１と一体に設け、この摺接板１２，１３が重合して対向する面に互いに吸引できる磁性体１７，１７′を配し、摺接板１２，１３を吸引し、回動させて保持部材１０と差込部材１１を嵌装するスライドファスナー用開離嵌挿具を主な構成とするものである。
【００１３】
請求項２記載の発明は、請求項１記載の発明の構成に加え、開離嵌挿具３の保持部材１０および差込部材１１に一体に設けた摺接板１２，１３の対向する重合面１４，１５に配する磁性体１７，１７′は、磁石１８，１８′から形成し、この磁石１８，１８′を摺接板１２，１３に配設したスライドファスナー用開離嵌挿具である。
【００１４】
請求項３記載の発明は、請求項１記載の発明の構成に加え、開離嵌挿具３の保持部材１０および差込部材１１に一体に設けた摺接板１２，１３の対向する重合面１４，１５に配する磁性体１７，１７′は、円形状の磁石１８，１８′から形成し、摺接板１２，１３の重合面１４，１５に磁石１８，１８′を嵌入できる凹陥部２８，２８′を設け、この凹陥部２８，２８′の入口に小突条２９，２９′を内方へ突出する形にアンダーカット手段で設け、この凹陥部２８，２８′内へ円形状の磁石１８，１８′を圧入したスライドファスナー用開離嵌挿具である。
【００１５】
請求項４記載の発明は、請求項１記載の発明の構成に加え、開離嵌挿具３の保持部材１０および差込部材１１に一体に設けた摺接板１２，１３の対向する重合面１４，１５に配する磁性体１７，１７′は、磁石１８，１８′または磁性シート１９あるいは磁性ゴムなどから形成し、この磁石１８，１８′または磁性シート１９あるいは磁性ゴムなどを摺接板１２，１３の対向する重合面１４，１５に接着剤２１で貼着したスライドファスナー用開離嵌挿具である。
【００１６】
請求項５記載の発明は、請求項１記載の発明の構成に加え、開離嵌挿具３の保持部材１０および差込部材１１に一体に設けた摺接板１２，１３の対向する重合面１４，１５に配する磁性体１７，１７′は、合成樹脂内に磁性粉末を混入した磁性塗料２０から形成し、この磁性塗料２０を摺接板１２，１３の対向する重合面１４，１５に塗着したスライドファスナー用開離嵌挿具である。
【００１７】
請求項６記載の発明は、請求項２，３または４記載の発明の構成に加え、開離嵌挿具３の保持部材１０および差込部材１１に一体に設けた摺接板１２，１３の対向する重合面１４，１５に配する磁性体１７，１７′は、磁石１８，１８′、磁性シート１９、磁性ゴム、樹脂内に磁性粉末を混入した磁性塗料２０などから形成し、これらの磁性体１７，１７′を保持部材１０の摺接板１２と差込部材１１の摺接板１３とは異種の磁性体１７，１７′を用いて組み合わせ、各種の固定手段によって配設したスライドファスナー用開離嵌挿具である。
【００１８】
請求項７記載の発明は、請求項１記載の発明の構成に加え、開離嵌挿具３における保持部材１０または差込部材１１に一体に設けた摺接板１２，１３において、いずれか一方の摺接板１２，１３の重合し対向する面に磁石１８，１８′を凸出状に配し、他方の摺接板１２，１３の重合し対向する面に磁石１８，１８′を凹陥状に配して、磁石１８，１８′自体が係合し、かつ吸引できるように形成したスライドファスナー用開離嵌挿具である。
【００１９】
請求項８記載の発明は、請求項１記載の発明の構成に加え、開離嵌挿具３における保持部材１０または差込部材１１に一体に設けた摺接板１２，１３において、いずれか一方の摺接板１２，１３の重合し対向する面の中央に凸部２５を設け、他方の摺接板１２，１３の重合し対向する面の中央に凸部２５を収容できる凹部２６を設け、この凹凸部２５，２６の周辺に各種の磁性体１７，１７′を配設したスライドファスナー用開離嵌挿具である。
【００２０】
請求項９記載の発明は、請求項１記載の発明の構成に加え、開離嵌挿具３における保持部材１０または差込部材１１に一体に設けた摺接板１２，１３において、いずれか一方の摺接板１２，１３の重合し対向する面の外周に対向方向へ突出する周壁２７を設けて他方の摺接板１２，１３を収容し、かつ周壁２７は他方の摺接板１２，１３が回動できる形に周壁２７の一部を切り欠いて切欠部３２を設け、双方の摺接板１２，１３の対向面に各種の磁性体１７，１７′を配設したスライドファスナー用開離嵌挿具である。
【００２１】
請求項１０記載の発明は、請求項１記載の発明の構成に加え、開離嵌挿具３における保持部材１０と差込部材１１とが、ファスナーチエン１を閉鎖するときに当接する摺接板１２，１３に近い個所の対向面に、それぞれ磁石１８，１８′を埋装し、吸引できるように形成したスライドファスナー用開離嵌挿具である。
【００２２】
【発明の実施の形態】
以下、この発明のスライドファスナー用開離嵌挿具の実施の形態について、図面を参照しながら具体的に説明する。
【００２３】
この発明のスライドファスナーの開離嵌挿具は、図１に示すようにファスナーチエン１の下端に開離嵌挿具３を取り付け、開離嵌挿具３は図２に示すように一方がファスナーチエン１を左右に分離したとき、スライダー６をファスナーストリンガー２に保持することができる保持部材１０をファスナーストリンガー２の下端に取り付け、他方が保持部材１０の側面へ嵌入することができる差込部材１１を他のファスナーストリンガー２′の下端に取り付け、保持部材１０と差込部材１１との先端に表裏方向において重合できる円板状の摺接板１２，１３をそれぞれ一体に設け、かつ摺接板１２，１３が重合する重合面１４，１５に磁気を有する磁性体１７、１７′を配設して摺接板１２，１３を磁気作用によって吸引し、かつ左右に所定の角度回動させることができるように形成する。
【００２４】
ファスナーチエン１は、ファスナーテープ４，４′の一側縁に各種タイプのファスナーエレメント５，５′を取り付け、左右のファスナーストリンガー２、２′の下端に熱可塑性樹脂フィルムの補強テープ７，７′を貼着して補強し、この補強テープ７，７′部分に図２に示すように開離嵌挿具３として、一方のファスナーストリンガー２にスライダー６を保持できる保持部材１０、他方のファスナーストリンガー２′に保持部材１０の側面へ嵌入できる差込部材１１をポリアミド、ポリアセタール、ポリプロピレン、ポリブチレンテレフタレートなどの熱可塑性樹脂、またはユリア樹脂、メラミン樹脂などの熱硬化性樹脂を用いて射出成形加工によって一体に成形する。
【００２５】
保持部材１０は図３に示すように、保持部材１０の下端先端に円板状の摺接板１２を一体に設け、摺接板１２の重合面１４には磁性体１７として磁石１８を配設している。摺接板１２は図３，５に示すように、中央に凸部２５を突設し、凸部２５の周辺には凹陥部２８を凹設し、この凹陥部２８に磁石１８を圧入して保持する。磁石１８を保持するため凹陥部２８の入口周縁に磁石１８を保持することができる小突起状の小突条２９を内方へ突出する形で設ける。この小突条２９を設置するため、射出成形の際アンダカット手段によって、小量内側へ突出する形に設ける。また重合面１４において凹陥部２８の周縁近くに浅めの凹溝３０を刻設し、小突条２９の成形の際のコアの抜脱を容易にする。
【００２６】
一方凹陥部２８に圧入する磁石１８は、図５に示すように円板状で中央に凸部２５が挿通できる透孔２３を穿設し、下面の周縁は小突条２９に対面する部分を小突条２９の周縁よりも小径とし、磁石１８の側面はテーパーを付け、上面周縁が小突条２９の内周よりもやや大きく断面鋭角状を呈する係止縁２４を形成し、磁石１８を摺接板１２の凹陥部２８に重合面１４側から圧入し、係止縁２４を凹陥部２８内へ係止して保持する。
【００２７】
なお、保持部材１０は、図３に示すようにスライダー６を挿入し保持できる分厚い保持部３１を一側に形成し、この保持部３１の側面に差込部材１１の差込板３８が嵌入できる差込凹溝３４を設ける。保持部３１の外側には、スライダー６のフランジが挿通できるガイド面３６を設け、この外側にスライダー６の側面外形と同じ形状をした分厚い外郭部３５を設け、外郭部３５の下端に、スライダー６を停止させることができる外郭部３５と同厚の停止部３７を設置する。
【００２８】
差込部材１１は、図４に示すように差込部材１１の下端に円板状の摺接板１３を一体に設け、摺接板１３の重合面１５に磁性体１７′として磁石１８′を配設している。摺接板１３は図４，６に示すように、中央に保持部材１０の凸部２５が当接できる凹部２６を頂面に設けた突出柱３３を設け、突出柱３３は凹部２６の周囲に面取り部３９を設けて凸部２５のガイドを容易にする。この突出柱３３の周囲には凹溝状の凹陥部２８′を設け、この凹陥部２８′の入口周縁に保持部材１０と同様に磁石１８′を保持することができる小突起状の小突条２９′と凹溝３０′を設ける。
【００２９】
凹陥部２８′に圧入する磁石１８′は、図６に示すように保持部材１０の磁石１８と同様に円板状で中央に突出柱３３が挿通できる透孔２３′を穿設し、上面の周縁は小突条２９′に対面し挿入し易い形の小径に形成し、磁石１８′の周面はテーパーを付けて下面周縁が小突条２９′の内周よりも大きく断面鋭角状を呈する係止縁２４′を形成し、凹陥部２８′に磁石１８′を圧入したとき、凹陥部２８′に係止縁２４′を係止して保持できる。
【００３０】
なお差込部材１１は、図４に示すように、保持部材１０の差込凹溝３４に嵌入でき、かつスライダー６のフランジ間に挿入できる厚さを有する差込板３８を設け、この差込板３８の外側にスライダー６の側面外形と同形の分厚い外郭部３５′を設け、外郭部３５′の下端にスライダー６を停止させる外郭部３５′と同厚の停止部３７′を設置する。
【００３１】
保持部材１０と差込部材１１の使用態様について説明すると、分離されている左右のファスナーストリンガー２、２′の一方のファスナーストリンガー２の保持部材１０の保持部３１にスライダー６を保持した状態で、保持部材１０と差込部材１１の摺接板１２，１３を表裏方向から重合する形で近付けると、双方に配した磁石１８、１８′によって摺接板１２，１３が自動的に吸引し重合すると同時に、摺接板１２，１３の中央に設けた凸部２５と凹部２６とが嵌合し、図７に示すように正しい位置で重合する。重合した後、図８に示すように、差込部材１１の差込板３８を保持部材１０に挿通されているスライダー６のフランジ間に嵌入し、さらに保持部３１の差込凹溝３４へ嵌入するように差込部材１１を回動させて、スライダー６内へ差込部材１１を備えたファスナーストリンガー２′を挿入した後、スライダー６を引き上げると図１に示すようにファスナーエレメント５，５′が噛合して左右のファスナーストリンガー２，２′は閉鎖される。
【００３２】
ファスナーチエン１を分離開放するには、スライダー６を開離嵌挿具３へ向けて引き下げスライダー６を停止部３７，３７′に当接させた後、差込部材１１を保持部材１０から引き離す形で回動させ、差込板３８をスライダー６から脱出させたところで、磁石１８、１８′の吸引力に抗して摺接板１３を摺接板１２から引き離して分離するとファスナーストリンガー２，２′は分離する。
【００３３】
上記の使用態様からして保持部材１０の摺接板１２と差込部材１１の摺接板１３とを磁石１８、１８′によって正確に吸引させるため、保持部材１０と差込部材１１とを近接させた位置において、磁石１８，１８′が強力に吸引できるように磁石１８，１８′をそれぞれの摺接板１２，１３に配することが必要であり、場合によっては、摺接板１２、摺接板１３とを離脱させたい位置へ回動したとき配設した磁石１８，１８′が離反する作用が生ずるように形成し、自動的に摺接板１２，１３を離脱させてもよい。
【００３４】
次に図９〜１３に示す第２実施例の開離嵌挿具について説明すると、第１実施例と異なる構成は、ファスナーストリンガー２，２′の下端に取り付けた保持部材１０と差込部材１１において、その端部に一体に成形した摺接板１２，１３の形態が異なる以外は第１実施例と同一構成である。
【００３５】
保持部材１０は図９，１０に示すように、保持部材１０の下端に一体に設けた摺接板１２は、摺接板１２の周辺に差込部材１１の摺接板１３を収容できる周壁２７を重合方向へ突設し、かつ差込部材１１が接触した状態で所定角度回動できるように周壁２７の一部を切り欠いて切欠部３２を設け、保持部材１０と差込部材１１の分離、係合操作のための回動を容易にしている。摺接板１２は図１０，１２に示すように重合面１４に磁性体１７としての磁石１８を配するため、摺接板１２に凹状の凹陥部２８を凹設し、この凹陥部２８の入口に前例と同様に内方へ突出する小突条２９をアンダーカット手段によって設け、かつその外側に浅い凹溝３０を周設する。凹陥部２８内へ圧入する磁石１８は、円板状で周縁に段部４１を設け、この段部４１の外周縁に鋭角状を呈する係止縁２４を設け、係止縁２４から先端の側面はテーパーを付けて凹陥部２８の入口の小突条２９から嵌入を容易にし、かつ凹陥部２８内での係止を有効に働かせ、また段部４１から上面の小径部分は、小突条２９間に安定した形で保持できるように形成する。
【００３６】
差込部材１１の下端に一体に設けた摺接板１３は、保持部材１０の摺接板１２に設けた周壁２７内に収容できる形状で、図１１，１３に示すように摺接板１２の円板状と合致する形に形成し、摺接板１３の下側の重合面１５には凹陥部２８′が凹設され、入口に小突条２９′および小突条２９′の外側に凹溝３０′が刻設され、磁石１８′の嵌入を容易に行うことができるように形成する。また磁石１８′は保持部材１０に用いる磁石１８と同一形状で共通性を持たせる。保持部材１０と差込部材１１の使用態様は前例と同一態様である。
【００３７】
図１４，１５に示す摺接板１２，１３は磁石１８，１８′の配設の変形例を示したものであり、摺接板１２，１３の重合面１４，１５に凸部２５と凹部２６を備えたタイプの摺接板１２，１３を射出成形する際、磁性体１７、１７′としての磁石１８，１８′を混入した実施例である。保持部材１０は摺接板１２の重合面１４の中央に凸部２５を突設し、この凸部２５の周囲に環状の磁石１８を埋め込み磁石１８の上面周囲には封止縁２２が形成され磁石１８を安定した状態で保持している。
【００３８】
差込部材１１は摺接板１３の重合面１５の中央に、保持部材１０の凸部２５が当接できるように、突出柱３３を設けて頂面に凹部２６を形成し、この凹部２６の周囲に面取り部３９を設けて凸部２５の当接をガイドする形に形成し、この凹部２６の周囲に環状の磁石１８′を埋め込み、磁石１８′の表面周囲に封止縁２２′が形成されて磁石１８′を安定した状態で保持する。
【００３９】
図１６，１７に示す摺接板１２，１３は、保持部材１０の摺接板１２に周壁２７を設けたタイプの摺接板１２を射出成形する際、磁性体１７，１７′としての平坦な凸状の磁石１８，１８′を埋入した実施例であり、保持部材１０は図１６に示すように摺接板１２の周縁に一部を切り欠いた周壁２７を備えた摺接板１２に対し、周縁に突部４０のある凸状の磁石１８を埋め込み、この際突部４０を摺接板１２内に埋め込み、重合面１４には磁石１８の頂面が現出する形で磁石１８の周縁は封止縁２２によって安定した状態で保持する。
【００４０】
一方差込部材１１は、保持部材１０の摺接板１２の周壁２７内へ収容できる摺接板１３は、図１７に示すように円板状から形成され、摺接板１３には平坦で凸状の磁石１８′の頂面が重合面１５に現出する形で埋め込み、磁石１８′の表面周縁に封止縁２２′が形成され磁石１８′を安定した状態で保持する。
【００４１】
図１８，１９に示す摺接板１２，１３は、磁石１８，１８′の変形例を示すものであり、磁性体１７，１７′としての磁石１８，１８′を平坦状の重合面１４，１５の中央に凹設した凹陥部２８，２８′に収容する。保持部材１０の凹陥部２８には、摺接板１２の重合面１４の表面へ全体が突出するように磁石１８を接着剤２１によって接着し、かつ磁石１８の周縁の隅角を円弧状に面取りする。
【００４２】
差込部材１１の凹陥部２８′には、摺接板１３における重合面１５の表面から全体に陥没する形で磁石１８′を接着剤２１′で接着するとともに、凹陥部２８′の入口周縁は斜面状に面取りする。この形態であると、摺接板１２，１３の重合面１４，１５における中心に改めて凸部、凹部を設けることなく、磁石１８，１８′自体が凸部、凹部を形成するので、簡単に摺接板１２，１３の重合動作を行うことができる。
【００４３】
図２０は摺接板１２に配設する磁性体１７の変形例を示すもので、摺接板１２の重合面１４に円形の凹陥部２８を凹設し、この凹陥部２８に円板状の磁石１８を樹脂系またはゴム系の合成接着剤で接着した摺接板１２である。
【００４４】
図２１は、摺接板１２に配設する磁性体１７の変形例を示すもので、摺接板１２の重合面１４に凹陥部２８を凹設し、中央に凸部２５を重合面１４上へ突出する形で設け、この凹陥部２８に磁性体１７として磁性シート１９または磁性ゴムシートなどを円板状に截断し中央に透孔２３を設け、この磁性シート１９を凹陥部２８に合成接着剤で接着したものである。
【００４５】
図２２は、摺接板１２に配設する磁性体１７の変形例を示すもので、摺接板１２の重合面１４に凹陥部２８を凹設し、中央に凸部２５を重合面１４上へ突出する形で設け、この凹陥部２８に磁性体１７として例えばシリコン樹脂ワニスまたはエポキシ樹脂ワニスに磁性粉末を混入した磁性塗料２０を塗着して磁性体１７を形成する。
【００４６】
図２３，２４に示す開離嵌挿具３は、保持部材１０と差込部材１１における摺接板１２，１３の重合面１４，１５には前述の各種タイプの磁性体１７，１７′を装着して表裏方向へ吸引可能に形成する。そして摺接板１２，１３に近い個所の保持部材１０と差込部材１１における対向面、すなわち保持部材１０の保持部３１に形成された差込凹溝３４と、差込部材１１の差込凹溝３４に挿入できる差込板３８の対向面に、それぞれ凹窩部４１，４１′を設け、この凹窩部４１，４１′に磁性体１７，１７′としての磁石１８，１８′を嵌入して接着剤２１，２１′で接着することによって磁石１８，１８′を吸引可能に形成する。
【００４７】
開離嵌挿具３の操作は、開放状態のファスナーチエン１を閉鎖するため、左右のファスナーストリンガー２，２′の摺接板１２，１３を表裏から重合させると、摺接板１２，１３に装着した磁石１８，１８′の吸引作用によって容易に摺接板１２，１３を吸着させ、その後左右のファスナーストリンガー２，２′を回動させながら引き寄せ、一方のファスナーストリンガー２の保持部材１０の保持部３１に保持されているスライダー６のフランジ間に差込部材１１の差込板３８を挿入すると、対向面に設置した凹窩部４１，４１′の磁石１８，１８′の吸引作用によって、保持部材１０と差込部材１１とを容易に密着させることができるので、スライダー６の閉鎖始動が容易にでき、ファスナーチエン１を閉鎖することができる。
【００４８】
閉鎖状態のファスナーチエン１を分離開放するには、スライダー６を開離嵌挿具３の保持部材１０と差込部材１１とに設けたスライダー６の停止部３７，３７′にまで引き下げて、保持部材１０と差込部材１１とを磁石１８，１８′の吸引力に抗して左右に引き離して回動させた後、摺接板１２，１３を表裏に分離させればファスナーチエン１を分離開放させることができる。
【００４９】
この発明における磁性体は、同一の磁性体の組み合わせのみでなく、磁石と磁性シート、磁石と磁性塗料、または磁性シートと磁性塗料、あるいは磁性体と鉄板などを組み合わせて使用することができる。
【００５０】
【発明の効果】
この発明のスライドファスナー用開離嵌挿具は、以上説明したとおりの構成であり、この構成によって下記の効果を奏するものである。
【００５１】
この発明のうち請求項１記載の発明は、水平に係脱可能な保持部材と差込部材とを合成樹脂から成形し、両部材の下端を互いに重合し、かつ摺接回動できる摺接板を一体に設け、摺接板の重合面に互いに吸引できる磁性体を配設することによって、左右のファスナーストリンガーに分離開放できるサイドオープンタイプのスライドファスナーにおいて、左右のファスナーストリンガーの端部に設けた保持部材と差込部材とを、磁性体を用いて自動的に吸引し、両部材の整合操作および閉鎖操作をきわめて簡易に行うことができ、片手でも操作ができ、子供、老人も容易に使うことができる効果がある。
【００５２】
請求項２，３，４，５および６記載の発明は、それぞれ請求項１記載の発明の効果に加え、摺接板に配設する磁性体に磁石を用いて摺接板に埋設し、または摺接板の凹陥部に圧入し、また磁性シートを貼着し、あるいは磁性塗料を塗着し、さらに各種の磁性体を適宜組み合わせることによって、各種の磁性体を用いて簡単な形態で開離嵌挿具を作製でき、利用範囲の拡張が図れる効果がある。
【００５３】
請求項７、８および９記載の発明は、それぞれ請求項１記載の発明の効果に加え、摺接板の重合面に一方は磁石を凸出状、他方は凹陥状、または一方は凸部、他方に凹部、あるいは一方の摺接板の周縁に周壁、他方の摺接板は周壁内へ収容できる形に形成したことによって、いずれも摺接板を的確かつ簡単に重合させることができ、かつ円滑に保持部材と差込部材を回動させることができ、開離嵌挿具の整合機能、閉鎖機能を容易に果たす効果がある。
【００５４】
請求項１０記載の発明は、請求項１記載の発明の効果に加え、保持部材と差込部材との摺接板に近い個所の保持部材と差込部材との対向面に磁性体を埋装したことによって、保持部材と差込部材とを確実に密着保持することができ、スライダーの閉鎖始動を助勢し円滑かつ容易に操作することができ、子供および老人でも容易に使用することができる効果があるなど、この発明が奏する効果はきわめて顕著である。
【図面の簡単な説明】
【図１】サイドオープンタイプの開離嵌挿具を備えたスライドファスナーの正面図である。
【図２】左右のファスナーストリンガーを分離した状態の保持部材、差込部材の斜視図である。
【図３】保持部材の正面図である。
【図４】差込部材の背面図である。
【図５】図３におけるＡ−Ａ断面図である。
【図６】図４におけるＢ−Ｂ断面図である。
【図７】ファスナーチエンの拡開状態を示す正面図である。
【図８】ファスナーチエンにおける閉鎖直前の状態を示す正面図である。
【図９】第２実施例の左右のファスナーストリンガーを分離した状態の保持部材、差込部材の斜視図である。
【図１０】同上の保持部材の正面図である。
【図１１】同上の差込部材の正面図である。
【図１２】図１０におけるＣ−Ｃ断面図である。
【図１３】図１１におけるＤ−Ｄ断面図である。
【図１４】保持部材の摺接板に磁石を埋設した断面図である。
【図１５】差込部材の摺接板に磁石を埋設した断面図である。
【図１６】保持部材の摺接板に磁石を埋設した断面図である。
【図１７】差込部材の摺接板に磁石を接着した断面図である。
【図１８】保持部材の摺接板に磁石を埋設した断面図である。
【図１９】差込部材の摺接板に磁石を埋設した断面図である。
【図２０】保持部材の摺接板に磁石を接着した断面図である。
【図２１】保持部材の摺接板に磁性シートを貼着した断面図である。
【図２２】保持部材の摺接板に磁性塗料を塗着した断面図である。
【図２３】保持部材と差込部材との対向面に磁石を埋設し、一部を切欠した開離嵌挿具の正面図である。
【図２４】図２３におけるＥ−Ｅ断面図である。
【図２５】公知のサイドオープンタイプのファスナーチエンの正面図である。
【図２６】他の公知のサイドオープンタイプのファスナーチエンの分離斜視図である。
【符号の説明】
１０            保持部材
１１            差込部材
１２            摺接板（保持部材）
１３            摺接板（差込部材）
１４            重合面（保持部材）
１５            重合面（差込部材）
１７，１７′    磁性体
１８，１８′    磁石
１９            磁性シート
２０            磁性塗料
２５            凸部
２６            凹部
２７            周壁
２８，２８′    凹陥部
２９，２９′    小突条
３２            切欠部
【図１】
2004248809.tif 000003
【図２】
2004248809.tif 000004
【図３】
2004248809.tif 000005
【図４】
2004248809.tif 000006
【図５】
2004248809.tif 000007
【図６】
2004248809.tif 000008
【図７】
2004248809.tif 000009
【図８】
2004248809.tif 000010
【図９】
2004248809.tif 000011
【図１０】
2004248809.tif 000012
【図１１】
2004248809.tif 000013
【図１２】
2004248809.tif 000014
【図１３】
2004248809.tif 000015
【図１４】
2004248809.tif 000016
【図１５】
2004248809.tif 000017
【図１６】
2004248809.tif 000018
【図１７】
2004248809.tif 000019
【図１８】
2004248809.tif 000020
【図１９】
2004248809.tif 000021
【図２０】
2004248809.tif 000022
【図２１】
2004248809.tif 000023
【図２２】
2004248809.tif 000024
【図２３】
2004248809.tif 000025
【図２４】
2004248809.tif 000026
【図２５】
2004248809.tif 000027
【図２６】
2004248809.tif 000028